(57)【要約】【課題】かん材の組み合わせを意図した特性あるいは機能を付与するように変えて所望の働きを得るデュアルかん式遮断かん装置を提供する。【解決手段】遮断かん装置は固定部材１と、固定部材１の先端に揺動可能に設けられた揺動機構４と、それぞれ遮断かんを保持する２個の保持器７ａ、７ｂを有するかん保持機構６と、かん保持機構６の保持器７ａ、７ｂに装着された遮断かん８とを備える。遮断かん８は任意の特性を備えた組み合わせ遮断かん８で構成される。【選択図】図１
2006096265.tif 000002
【特許請求の範囲】
【請求項１】
固定部材と、前記固定部材の先端に枢軸を介して揺動可能に設けられた揺動機構と、前記揺動機構に固着され、それぞれ遮断かんを保持する２個の保持器を有するかん保持機構と、前記かん保持機構の保持器に各々装着された遮断かんとを備え、前記遮断かんが任意の特性を備えた組み合わせ遮断かんで構成されるようにしたデュアルかん式遮断かん装置。
【請求項２】
前記組み合わせ遮断かんのうちの少なくとも１本が高い弾性率を備えたかん材で構成される請求項１記載のデュアルかん式遮断かん装置。
【請求項３】
前記組み合わせ遮断かんのうちの少なくとも１本が高い識別性を備えたかん材で構成される請求項１記載のデュアルかん式遮断かん装置。
【請求項４】
固定部材と、前記固定部材の先端に枢軸を介して揺動可能に設けられた揺動機構と、前記揺動機構に固着され、それぞれ遮断かんを保持する２個の保持器を有するかん保持機構と、前記かん保持機構の保持器に各々装着された遮断かんとを備え、前記遮断かんが任意の機能を有する組み合わせ遮断かんで構成されるようにしたデュアルかん式遮断かん装置。
【発明の詳細な説明】
【技術分野】
【０００１】
本発明はかん材の組み合わせを意図した特性を付与するように変えて所望の働きを得るデュアルかん式遮断かん装置に関する。
【背景技術】
【０００２】
安全な列車等の運行のために、いわゆる踏切りには遮断機が設けられる。この遮断機は車輌、人などの通行を阻む何らかの遮断手段が必要で、多くの場合、比較的簡便な手段である遮断かんが使用される。この遮断かんは、近年、軽量化の進展と共にエンジニアリング・プラスチックが多用され、恒久的な使用に耐える、強度などその他の性質においても申し分のない製品であるとの評価が定着している。
【０００３】
しかし、エンジニアリング・プラスチックがどれだけ強度に優れていても、車輌等が衝突する激しい事故では遮断かんが折損してしまい、折損した遮断かんについては再度使用することは適わない。
【０００４】
一方、踏切り幅員がある程度広い踏切りに設置される遮断機には普通に使用される断面円形の遮断かんに代えて、円形心材に識別用プレートなどを付設した大形の遮断かんが用いられる。一般に、この大形の遮断かんは長尺で、重量もあり、簡便な取り扱いが不可能になる。
【発明の開示】
【発明が解決しようとする課題】
【０００５】
ところで、遮断かんは形状および数などその多くが画一的なものが大半である。たとえば、遮断かんは車輛、人などの通行を遮るのであれば、１本を備えていれば十分である。しかし、不測の事故で唯一の遮断かんが折損してしまった場合、新たな遮断かんが入手できるまで、一時遮断機操作を休止しなければならず、緊急の復旧を果たせない可能性がある。
【０００６】
また、遮断かんの識別のための配色も画一的で、遮断かんの識別を容易にする観点からは少し問題がある。特に、夜間照明のない踏切りなどでは遮断かん自身を明瞭に見分けることができない。
【０００７】
一方、踏切り幅員の大きい踏切りに採用される大形の遮断かんは簡便な取り扱いを困難にしており、利便性の高い遮断かんへの変更を求められている。
【０００８】
本発明の目的はかん材の組み合わせを意図した特性あるいは機能を付与するように変えて所望の働きを得るようにしたデュアルかん式遮断かん装置を提供することにある。
【課題を解決するための手段】
【０００９】
本発明に係るデュアルかん式遮断かん装置は固定部材と、固定部材の先端に枢軸を介して揺動可能に設けられた揺動機構と、揺動機構に固着され、それぞれ遮断かんを保持する２個の保持器を有するかん保持機構と、かん保持機構の保持器に各々装着された遮断かんとを備え、遮断かんが任意の特性を備えた組み合わせ遮断かんで構成されるものである。
【００１０】
本発明の組み合わせ遮断かんはかん材の組み合わせを意図した特性を付与するように変える。典型的には、たとえば、車輌の衝突で起こる遮断かん折損が懸念される場合、これに有効な特性、すなわち、高い弾性率をかん材に付与する。また、遮断かんとして他のものとの区別が容易に付き難い場合、これに有効な特性、すなわち、高い識別性をかん材に付与する。組み合わせ遮断かんは少なくとも１本の遮断かんがこうした特性を備える。それゆえ、２本の遮断かんのうちの１本の遮断かんが想定した場面ではその意図した特性を発揮してその使命を十分に果たす。
【００１１】
別の発明に係るデュアルかん式遮断かん装置は固定部材と、固定部材の先端に枢軸を介して揺動可能に設けられた揺動機構と、揺動機構に固着され、それぞれ遮断かんを保持する２個の保持器を有するかん保持機構と、かん保持機構の保持器に各々装着された遮断かんとを備え、遮断かんが任意の機能を有する組み合わせ遮断かんで構成されるものである。
【００１２】
本発明における組み合わせ遮断かんはかん材の組み合わせを意図した機能を付与するように変える。典型的には、長尺かんの取り扱いを簡便に行いたい場合、これに有効な着脱機能をかん材に付与する。組み合わせ遮断かんは２本の遮断かんが共に着脱機能を備える。それゆえ、取り扱いに不便さを感じさせない２本のかん材により意図した機能を果たし、長尺かんを用いる場合の不利を取り除くことができる。
【発明を実施するための最良の形態】
【００１３】
本発明によるデュアルかん式遮断かん装置の一実施の形態について図面を参照して説明する。図１（ａ）において、本発明の遮断かん装置は遮断機に装着される固定部材１を有する。固定部材１は筒状の固定筒２と、この固定筒２の一端に固定された固定板３とからなる。また、遮断かん装置は固定部材１の先端に揺動可能に設けられる揺動機構４を備える。この揺動機構４は固定部材１の固定板２に固着される一対の枢軸（後記）を有し、この枢軸と係合させた可動板５が決められた方向に回動できるようになっている。
【００１４】
さらに、揺動機構４の可動板５から鉛直に延びるかん保持機構６が設けられる。このかん保持機構６は軸方向にそれぞれ一定の長さを保って形成される第１保持器７ａと第２保持器７ｂとを有する。この第１保持器７ａと第２保持器７ｂとは後に詳述される組み合わせ遮断かん８を収容している。
【００１５】
図１（ｂ）に示すように、第１保持器７ａと第２保持器７ｂとは背中合わせに配置されており、第１保持器７ａは上方に口を開いた樋形の本体９と、この本体９の開口側に取付けられる、一対のＵ字ボルト１０とからなる。同様に、第２保持器７ｂは下方に口を開いた樋形の本体９と、この本体９の開口側に取付けられる、一対のＵ字ボルト１０とからなる。Ｕ字ボルト１０はそれぞれの内面にゴム製の押さえ板１１を有する。
【００１６】
また、一対のＵ字ボルト１０は保持器長手方向に一定の間隔をおいて配置される（図１（ａ）参照）。Ｕ字ボルト１０のねじにはそれぞれ調整ナット１２が螺合している。これにより、組み立て時、調整ナット１２を緩めておき、挿入する遮断かん口径に合わせてＵ字ボルト１０を動かし、本体９との間隔を広げて組み合わせ遮断かん８を挿入した後、押さえ板１１をかん外面に当てながら、調整ナット１２を締め上げ、組み合わせ遮断かん８を固定する。
【００１７】
一方、揺動機構４は、図２（ａ）（ｂ）に示すように、固定板３に固定される枢軸としてのジョイント１３を有する。上述した可動板５はこのジョイント１３に回動自在に設けられる。この可動板５は第１および第２保持器７ａ、７ｂと反対側にフック１４を備える。
【００１８】
また、中空の固定筒２の中心に軸方向に一定の長さを保って形成されるセンタロッド１５が設けられる。このセンタロッド１５に沿って一端を固定板３に当接してリターンスプリング１６が装着される。このリターンスプリング１６は座金１７を介してセンタロッド１５のねじと螺合するナット１８によってセンタロッド１５に保持される。このセンタロッド１５は可動板５と向き合う頭部にフック１９を有する。センタロッド１５と可動板５とはフック１９とフック１４とに掛けわたすチェーン２０によって互いに連結される。
【００１９】
上記の揺動機構２においては、たとえば、車輌が組み合わせ遮断かん８に衝突すると、ジョイント１３を中心として可動板５が回動し、組み合わせ遮断かん８が斜め上方に跳ね上がる。このとき、組み合わせ遮断かん８はリターンスプリング１６が圧縮された状態である角度の付いた位置に一時留まり、その後、元の位置に戻ろうとする。可動板５はリターンスプリング１６に引かれて跳ね上げ方向と逆方向に回動し、運動の終わりでは固定板３と接触する。この結果、可動板５と固定板３とが接触して組み合わせ遮断かん８の移動が止まり、組み合わせ遮断かん８は図２（ｂ）に示す衝突前の静止位置に戻る。
【００２０】
ちなみに、可動板５が静止位置に戻るときの勢いがつき過ぎると、固定板３と接するときの衝撃荷重が大きくなって危険であるため揺動機構４にはスプリングおよびステッカを中心として構成される緩衝機構２１（図１（ａ）参照）が付設される。この緩衝機構２１により可動板５の運動が減衰し、強い衝撃荷重がもたらされるのを防ぐことができる。
【００２１】
組み合わせ遮断かん８は２本の遮断かんで構成される。本実施の形態では高い弾性率をかん材に付与する。すなわち、１本の遮断かんは普通の弾性率を有するガラス繊維を用いた繊維強化プラスチック（ＦＲＰ）かん材で製作され、別の遮断かんは高弾性率を備える、たとえば、炭化ボロン繊維、炭素繊維、アルミナ繊維、ポリパラフェニレンベンゾビスチアゾール繊維等に含浸させて成形したかん材で製作される。
【００２２】
本実施の形態は上記構成からなるもので、踏切りに近づいた車輌が、たとえば、ブレーキ操作の遅れで遮断かんに衝突したとき、揺動機構４の可動板５が回動し、このとき、組み合わせ遮断かん８が斜め上方に跳ね上がる。このため、組み合わせ遮断かん８は破損などの過大な損傷を免れることができる。
【００２３】
一方、車輌高さのあるトラックのような大形の車輌が組み合わせ遮断かん８に衝突した場合、積載物のために車輌が大きい運動量を有することで、組み合わせ遮断かん８には損傷程度に差が生じる。すなわち、衝突で生じた衝撃荷重で組み合わせ遮断かん８の２本の遮断かんのうち、弾性率の小さいかん材で作られた遮断かんが折損する。一方、弾性率の大きいかん材で製作された遮断かんも同様な衝撃荷重を受けるが、高弾性率の遮断かんは大きく曲がるものの、折損するまでには至らないで、損傷を免れる。
【００２４】
踏切での車輌衝突事故で組み合わせ遮断かん８が１本でも折損を免れるならば、その折損を免れた遮断かんだけで応急的に遮断機操作は可能であり、新しい遮断かんの入手を待たないで、直ちに暫定的復旧を果たすことができる。
【００２５】
なお、本実施の形態の組み合わせ遮断かん８は２本の遮断かんを共に高弾性率を有するかん材で構成してもよい。
【００２６】
このように本実施の形態においては少なくとも１本の遮断かんについて高い弾性率を備えたかん材からなる組み合わせ遮断かん８で構成したので、車輌の衝突で遮断かん折損が発生したときも、折損を免れた遮断かんを用いて暫定的復旧を早めることができる。
【００２７】
本発明の異なる実施の形態を説明する。本実施の形態の大部分の構成は上記実施の形態のものと同一で、これについては説明を省略する。図３に示すように、組み合わせ遮断かん２２は２本の遮断かんで構成される。本実施の形態では高い識別性をかん材に付与する。すなわち、１本の遮断かんは通常の塗料が塗られたかん材からなり、別の遮断かんは蛍光塗料が塗装されたかん材からなる。このかん材はガラス繊維を用いたＦＲＰかん材で製作される。
【００２８】
このような高い識別性を有するかん材で構成した組み合わせ遮断かん２２においては、たとえば、夜間においても蛍光塗料を塗装した遮断かんによりはっきりと他のものと区別して見分けることことが可能で、踏切りから遠い地点でも明瞭に遮断かんとして識別することができる。
【００２９】
なお、本実施の形態の組み合わせ遮断かん２２は２本の遮断かんを共に蛍光塗料を塗装したかん材で構成してもよい。
【００３０】
このように本実施の形態においては遮断かんについて高い識別性を備えたかん材からなる組み合わせ遮断かん２２で構成したので、夜間においても蛍光塗料を塗装した遮断かんによりはっきりと他のものと区別して見分けることことが可能で、明瞭に遮断かんとして識別することができる。
【００３１】
本発明の異なる実施の形態を説明する。遮断かん以外の構成は上記実施の形態のものと同一であり、説明を省略する。図４に示すように、組み合わせ遮断かん２３は２本の遮断かんで構成される。本実施の形態ではかん材に着脱機能を付与する。すなわち、組み合わせ遮断かん２３は継ぎ足し式かん材で構成される。この継ぎ足し式かん材はテーパ状管を複数本継ぎ足して所要の長さにする。テーパ状管は１本が約１４００mmの長さに形成されており、その一端は他端よりも大きい口径を有する。管の端に別の管の端を差し込み、順次継ぎ足してかん材として所要の長さに形成する。たとえば、６本の管を継ぎ足すとき、かん材は１４００×６＝８４００ｍｍの長さ（実際の長さは約４００ｍｍが継ぎ足しの重複部分となるので、８０００ｍｍ）にすることができる。この継ぎ足し式かん材はＦＲＰかん材で製作される。
【００３２】
このかん材は所要の長さに組み立てられる前は、識別用プレートを付設した長尺遮断かんのような取り扱いにおける不便さは殆どなく、極めて手軽に扱うことが可能で、利便性を格段に高めることができる。
【００３３】
この組み合わせ遮断かん２３を用いるものでは２本の遮断かんの間に大きい空間が生じる。特に、識別用プレートなどを付設した大形の遮断かんを用いた場合、強い風が遮断かんに吹き付けると、風下方向に遮断かんが大きく反ることがあり、風向きによっては線路側に遮断かんが突き出る可能性がある。本実施の形態の組み合わせ遮断かん２３によれば、こうした強風が吹くときも、風が遮断かんと遮断かんとの間にある空間を通って流れるので、反りが過大にならないで、遮断かんが線路側に突き出るのを防ぐことができる。
【００３４】
このように本実施の形態においては遮断かんを着脱機能を有する継ぎ足し式かん材からなる組み合わせ遮断かん２３で構成したので、利便性を格段に高めることができる。
【産業上の利用可能性】
【００３５】
本発明の遮断かん装置は踏切り遮断機用遮断かんに特定の相応しい機能を持たせるのに有用である。
【図面の簡単な説明】
【００３６】
【図１】本発明によるデュアルかん式遮断かん装置を示すもので、（ａ）は遮断かん装置の側面図、（ｂ）は（ａ）に示されるかん保持機構の正面図である。
【図２】本発明に係る揺動機構を示すもので、（ａ）は揺動機構の正面図、（ｂ）は（ａ）の矢印Ｘ方向からみた図である。
【図３】本発明の遮断かん装置の異なる実施の形態を示す側面図である。
【図４】本発明の遮断かん装置の異なる実施の形態を示す側面図である。
【符号の説明】
【００３７】
１…  固定部材
３…  固定板
４…  揺動機構
５…  可動板
６…  かん保持機構
８、２２、２３…  組み合わせ遮断かん
１３…  ジョイント
１５…  センタロッド
１６…  リターンスプリング
【図１】
2006096265.tif 000003
【図２】
2006096265.tif 000004
【図３】
2006096265.tif 000005
【図４】
2006096265.tif 000006